【事件の表示】
　平成　２年特許願第１３５３５０号「情報処理装置及び方法」拒絶査定に対する審判事件［平成　４年　２月　３日出願公開、特開平　４−　３０２５０］について、次のとおり審決する。
【結　論】
　本件審判の請求は、成り立たない。
【理　由】
１．本願発明
　本件審判請求に係る出願は、平成２年５月２８日の出願であって、その請求項１に係る発明は、平成１３年１２月２７日付け手続補正書でした手続補正によって補正された明細書と図面の記載からみて、特許請求の範囲の記載の請求項３に記載された次のとおりのものである（以下「本願発明」という。）。
「文書データを格納する文書データ格納手段と、
　文字データを指定する指定手段と、
　前記指定手段で指定された文字データをアラームマークデータとして記憶するアラームマークデータ記憶部と、
　表示手段に表示するデータを記憶する表示データ記憶部と、
　前記文書データ格納手段に格納されている文書データから、前記表示手段に表示する部分を指示する指示手段と、
　前記指示手段で指示された部分を、前記文書データ格納手段から前記表示データ記憶部に転送する転送手段と、
　前記表示データ記憶部に転送、記憶され、表示中となったデータに前記アラームマークデータ記憶部に記憶されているアラームマークデータと一致するデータが存在するか否かを判断する判断手段と、
　前記判断手段により一致するデータが存在すると判断された場合、表示されているデータにアラームマークが含まれていることを知らせるアラームを発生する制御手段とを備えることを特徴とする情報処理装置。」
　
２．引用例記載の発明
　
　当審の拒絶の理由において引用された、本願の出願前に国内において頒布された刊行物である特開昭６２−１５６７２５号公報（以下、「引用例」という。）には、図面と共に次の事項が記載されている。
　
「発明の目的　この発明は、音声の記録／再生機構を有し（略）、文書と音声を同期をとって入力（記録）し出力（再生）でき、これにより入力文書に、音声メッセージ、音声によるコメント等、所望の音声情報を容易にしかも確実な同期をとって付加することのできるようにした文書処理装置を提供することを目的とする。」（公報第１頁右下欄第１５行〜第２頁欄第４行）
「（１）．構成　第１図はこの発明の一実施例を示すブロック図である。図中、１０は装置全体の制御（略）を行なうＣＰＵであり、ここでは音声を記録し再生する録音／再生機を一制御対象とするもので、（略）１１は（略）入力部であり、（略）音声メモコードに伴う特定のマークをカーソルで指定して再生の開始を指示する「実行」キー（略）等が設けられる。（略）１３は入力及び編集文書を表示する表示部であり、（略）ファイルされた文書がページを単位に任意選択的に表示される。（略）１５は文書情報を貯える文書メモリであり、ここでは、音声を付加したい文書中の任意の文字位置に、音声メモコード（Ｖ）及びインデックスコード（ａ，ｂ，…）が記憶され、更に予め設定された音声データ領域には、上記各インデックスコードに対応して音声の記録開始位置及び終了位置を示すスタート値（Ｓａ，Ｓｂ，…）及びエンド値（Ｅａ，Ｅｂ，…）等が記憶される。２０は文書に対応した音声情報を記録し再生する（略）録音／再生機であり、ここではＣＰＵ１０より出力される（略）再生開始信号（ＰＳＴ）を受けて再生動作を開始し、停止信号（ＳＴＯ）を受けて録音／再生動作を停止する。」（同第２頁左上欄第１８行〜左下欄第１８行）
「文書メモリ１５内の文書中の任意の位置に音声メモコード（Ｖ）を書込むことにより、文書中の任意の位置に音声情報が対応付けされた状態で文書が文書メモリに保存される。
　Ｃ）．再生（第２図（ｂ）参照）　上述の如くして、文書中にコメント等の音声情報が付加された後、表示部１３に表示された文書中の或る音声メモコード（Ｖ）の表示マークをカーソルで指定し、「実行」キーを操作することによって、第２図（ｂ）に示す音声再生処理が開始される。（略）文書メモリ１５をアクセスし、上記カーソルで指定された音声メモコード（Ｖ）に従う（略）スタート値（Ｓｉ）を読出し、再生開始信号（ＰＳＴ）が出力される。これにより、録音／再生機２０は再生モードとなり、再生された音声情報がスピーカ２２より出力される。」（同第３頁右下欄第１９行〜第４頁右上欄第１３行）
「このようにして、文書中の指定された音声メモマーク表示位置に対応する音声の再生が実行される。（略）これに限らず、例えば共通の記憶（記録）装置に文書と音声を書込み、文書内の音声メモコード（Ｖ）に従う音声情報を同一の記憶（記録）装置より読出して音声出力する構成としてもよい。」（同第４頁左下欄第４行〜右下欄第２行）
　
　上記記載からみて、（イ）ＣＰＵは、文書中の任意の文字位置に記憶された音声メモコードの表示マークが実行キーで指定されることにより音声再生処理を行うものであるので、ＣＰＵは、実行キーで指定された文書中の位置に音声メモコードが存在するか否かを判断し、音声メモコードが存在すると判断された場合に音声情報の再生処理を行うことは明らかであり、また、（ロ）文書はページを単位に任意選択的に表示部に表示されることから、文書処理装置は文書情報をページ単位で任意に選択できる選択手段を有していることは明らかであり、（ハ）引用例には明記されていないが、引用例記載の文書処理装置は、表示部に表示するデータを記憶するＶＲＡＭと表示するデータをＶＲＡＭに転送する処理を有することは当業者には自明のことであるから、引用例には、
「文書中の任意の文字位置に音声メモコード及びインデクッスコードが記憶された文書情報を記憶する文書メモリと、
　音声メモコードを指定する実行キーを備えた入力部と、
　前記文書メモリに記憶されている文書情報をページ単位で任意に選択する手段と、
　文書情報をページ単位で表示する表示部と、
　表示部に表示するデータを記憶するＶＲＡＭと、
　文書メモリに格納されている文書情報を、文書メモリからＶＲＡＭに転送し、表示部に表示された文書中の指定された位置に音声メモコードが存在するか否かを判断し、音声メモコードが存在すると判断された場合に、音声情報を再生処理するＣＰＵとを備える文書処理装置。」（以下、「引用例記載の発明」という。）が記載されているものと認められる。
　
３．本願発明と引用例記載の発明との対比
　
　本願発明（前者）と引用例記載の発明（後者）とを対比する。
　後者の「入力部」、「文書情報」、「文書メモリ」、「表示部」、「ＶＲＡＭ」、「選択する手段」、「文書処理装置」は、それぞれ前者の「指定手段」、「文書データ」、「文書データ格納手段」、「表示手段」、「表示データ記憶部」、「指示手段」、「情報処理装置」に相当する。
　また、後者の「音声メモコード」は文書中に記憶されたデータであり、ＶＲＡＭに転送、記憶され、表示部に表示されている文書情報に音声メモコードが存在している場合に、後者の「音声情報」はＣＰＵによって再生処理されるものであって、「音声情報」はオペレータが所望のものとすることができるから、後者の「音声メモコード」、「音声情報」は、それぞれ前者の「アラームマークデータ」、「アラーム」に相当し、後者のＣＰＵはその機能からみて、前者の「転送手段、判断手段、制御手段」に相当する。
　よって、両者の一致点、相違点は次のとおりである。
　
［一致点］
「文書データを格納する文書データ格納手段と、
　文字データを指定する指定手段と、
　表示手段に表示するデータを記憶する表示データ記憶部と、
　前記文書データ格納手段に格納されている文書データから、前記表示手段に表示する部分を指示する指示手段と、
　前記指示手段で指示された部分を、前記文書データ格納手段から前記表示データ記憶部に転送する転送手段と、
　前記表示データ記憶部に転送、記憶され、表示中となったデータにアラームマークデータと一致するデータが存在するか否かを判断する判断手段と、
　前記判断手段により一致するデータが存在すると判断された場合、表示されているデータにアラームマークが含まれていることを知らせるアラームを発生する制御手段とを備えることを特徴とする情報処理装置。」である点。
　
［相違点］
　前者は、指定手段で指定された文字データをアラームマークデータとして記憶するアラームマークデータ記憶部とを備え、判断手段はアラームマークデータ記憶部に記憶されているアラームマークデータと一致するデータが存在するか否かを判断する構成であるのに対して、後者はそのような構成を備えていない点。
　
４．当審の判断
　
　上記相違点について検討する。
　
　アラーム機能を有する情報処理装置において、予め指定した文字データを記憶する記憶手段と、文書情報に当該記憶されている文字データが存在すると判断された場合にアラームを発生する制御を行う制御手段を備えることは、本願出願前に周知の技術手段（例えば、特開昭６３−１０３３７４号公報、実願昭６３−４１８８０号（実開平１−１４７４４８号）のマイクロフィルム）であるから、後者及び周知の技術手段に基づいて前者のようにすることは当業者が容易に推考できたものと認める。
　
　そして、前者の効果は、後者及び周知の技術手段の効果から予測できる程度のものであり、格別のものとは認められない。
　
５．むすび
　
　したがって、本願発明は、引用例に記載された発明及び本願出願前に周知の技術手段に基づいて、当業者が容易に発明をすることができたものであるから、特許法第２９条第２項の規定により特許を受けることができない。
　
　よって結論のとおり決定する。